【事件の表示】
　特願２００２−　３３７７６「遊技機」拒絶査定不服審判事件〔平成１５年　８月１９日出願公開、特開２００３−２３０７３５〕について、次のとおり審決する。
【結　論】
　本件審判の請求は、成り立たない。
【理　由】
　
第一、手続きの経緯
　本願は、平成１４年２月１２日の出願であって、平成２０年５月２６日付けで拒絶理由が通知され、これに対し、同年７月２９日付けで手続補正がなされ、同年８月１８日付けで拒絶査定がなされ、これに対し、同年９月２５日に拒絶査定不服の審判請求がなされるとともに、同年１０月１日付け手続補正書によって明細書の一部が補正されたものである。
　
第二、平成２０年１０月１日付けの手続補正についての補正却下の決定
［補正却下の決定の結論］
　平成２０年１０月１日付けの手続補正（以下、「本件補正」という。）を却下する。
［理由］
　（１）補正前・後の本願発明　　
　本件補正は、補正前（平成２０年７月２９日付け手続補正により補正された特許請求の範囲）の請求項１に記載された、
　「　施錠枠が被施錠枠に施錠される遊技機であって、
　前記施錠枠及び被施錠枠の何れか一方に設けられ、前記施錠枠及び被施錠枠の何れか他方に設けられた被係合部に係合されることで前記施錠枠が前記被施錠枠に施錠されると共に、解除操作されることで前記被係合部への係合が解除される複数の係合部材と、
　前記複数の係合部材を連絡すると共に鍵部材により操作可能とされ、操作された際には前記複数の係合部材の全てを解除操作し、前記係合部材が他の前記係合部材と独立して解除操作された際には当該他の前記係合部材を解除操作しない連絡手段と、
　前記施錠枠に施錠されまたは前記被施錠枠が施錠される追加枠と、
　後面側に設けられた前記被施錠枠または追加枠と当該被施錠枠または追加枠に施錠される前記施錠枠または被施錠枠の回動外端との隙間を塞ぐ阻止板と、
　を備えたことを特徴とする遊技機。」を、
　
　「　施錠枠が被施錠枠に施錠される遊技機であって、
　前記施錠枠及び被施錠枠の何れか一方に設けられ、前記施錠枠及び被施錠枠の何れか他方に設けられた被係合部に係合されることで前記施錠枠が前記被施錠枠に施錠されると共に、解除操作されることで前記被係合部への係合が解除される複数の係合部材と、
　前記複数の係合部材を連絡すると共に鍵部材により操作可能とされ、操作された際には前記複数の係合部材の全てを解除操作し、前記係合部材が他の前記係合部材と独立して解除操作された際には当該他の前記係合部材を解除操作しない連絡手段と、
　前記施錠枠に施錠されまたは前記被施錠枠が施錠される追加枠と、
　
前記鍵部材が挿入される鍵挿入部材が固定されるユニット基板に前記鍵挿入部材の固定部位を除く上端から下端に亘って形成され、
　を備えたことを特徴とする遊技機。」と補正するものである（下線部は補正部分）。
　
　上記補正は、補正前の特許請求の範囲の請求項１に記載された発明を特定するために必要な事項である「隙間を塞ぐ阻止板」の修飾語句について、「前記鍵部材が挿入される鍵挿入部材が固定されるユニット基板に前記鍵挿入部材の固定部位を除く上端から下端に亘って形成され、」との語句を追加するものであるから、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　（２）そこで、本件補正後の請求項１に記載された発明（以下、「本願補正発明」という。）が特許出願の際独立して特許を受けることができるものであるのか（上記改正前の特許法第１７条の２第５項において準用する同法第１２６条第５項の規定に適合するか）について以下に検討する。
　
　（あ）刊行物に記載された発明
刊行物１；特開２０００−２８８２１４号公報
刊行物２；特開２０００−１５７６９９号公報
　
　原査定の拒絶理由に引用され、本願出願前に頒布された、特開２０００−２８８２１４号公報（以下、「引用刊行物１」という。）には、以下の記載がある。
　（１−１）「【０００１】
【発明の属する技術分野】本発明は、前枠を外枠に開閉可能に支持したパチンコ遊技機、パチスロ遊技機等の遊技機において、前枠が閉じられたときにその前枠を外枠に係止するために用いられる施錠装置に関するものである。」、　
　（１−２）「【０００５】そこで、本発明は、鉤部材を線材等で不正に動かして解錠する不正解錠を確実に防止することのできる遊技機の施錠装置の提供を課題とするものである。」、　
　（１−３）「【０００８】
【発明の実施の形態】（第１実施形態）以下、本発明をパチンコ遊技機の施錠装置に具体化した第１実施形態を図面に従って説明する。図１及び図２に示すように、パチンコ遊技機１は、外枠２と、軸９により外枠２に開閉可能に支持された前枠（内枠と呼ばれることもある）３と、前枠３に組付けられた遊技盤４と、軸１０により前枠３に開閉可能に支持されたガラス枠５とを備えている。外枠２内の右側部には被係止部が固定されている。被係止部は、剛性の高い材料、例えば金属板によって形成されている。ここでは、被係止部として、金属板を曲げ形成したもの（以下「受け金具」という）が用いられ、これが木ねじ等によって外枠２に固定されている。受け金具の数は複数（２つ以上）であり、ここでは２個の受け金具（第１受け金具６及び第２受け金具７）が用いられている。第１受け金具６は外枠２の下部に固定され、第２受け金具７は外枠２の上部に固定されている。前枠３の裏面の右側部には、縦長の施錠装置８が組付けられている。施錠装置８は、前枠３が閉じられたときにその前枠３を外枠２に係止するための機構と、ガラス枠５が閉じられたときにそのガラス枠５を前枠３に係止するための機構とを備えている。・・・
【０００９】施錠装置８は、図３（ａ），（ｂ）に示すように上下に細長い枠体１３を備えており、この枠体１３において前枠３に固定されている。ここでは、金属板を略直角に曲げてアングル状としたものが枠体１３として用いられているが、これに限らない。枠体１３において互いに略直交する２つの板状部分を区別するために、一方を「取付け部１１」といい、他方を「支持部１２」ということにする。取付け部１１は木ねじ等の締結具によって前枠３の裏面に固定されており、支持部１２は同裏面に対し略直交している。枠体１３の上部には、補助枠３５が上下方向への往復動可能に取付けられている。補助枠３５は、ガラス枠５を前枠３に係止するための機構の一部をなすものである。
【００１０】取付け部１１には、図４（ｂ）に示すように、解錠のために専用の鍵（以下「専用キー」という）１４によって解錠操作される錠が組付けられている。ここでは、錠としてシリンダ錠１５が用いられているが、これ以外のタイプの錠が用いられてもよい。シリンダ錠１５においては、解錠のために専用キー１４が差込まれて回転されるが、ここでは、パチンコ遊技機１の正面から見て時計回り方向（図４（ｂ）において矢印で示す方向）を、前枠３を開放する際に専用キー１４を回す方向とし、反時計回り方向を、ガラス枠５を開放する際に専用キー１４を回す方向としている。・・・
【００１１】支持部１２の下部において、第１受け金具６と対応する箇所には、第１鉤部材２１が軸２２により上下方向への傾動可能に支持されている。第１鉤部材２１は、略水平状態となったときに第１受け金具６に係止し、下方へ傾いたときに同受け金具６から離脱する（外れる）。同様に、支持部１２の上部において、第２受け金具７と対応する箇所には、第２鉤部材２３が軸２４により上下方向への傾動可能に支持されている。第２鉤部材２３は略水平状態となったときに第２受け金具７に係止し、下方へ傾いたときに同受け金具７から離脱する（外れる）。・・・」、　
　（１−４）「【００１２】支持部１２の側方（図３（ａ）では左方）近傍には、連結杆２０が上下方向への往復動可能に配置されている。・・・なお、連結杆２０の上下方向への往復動のうち、上方への移動は解錠に関連する。後述するように、連結杆２０の上方への移動により、全鉤部材２１，２３が受け金具６，７から外れて、解錠が行われる。このことから、連結杆２０の往復動方向である上下方向のうち、「上方」を「解錠方向」というものとする。
【００１３】連結杆２０は第１連結杆２５と、その上側に配置された第２連結杆２６とに分割されている。第１連結杆２５は上下に細長い形状をなし、その下端部において第１鉤部材２１に動力伝達可能に連結されている。ここでは、第１連結杆２５の下端部が、連結ピン２９により第１鉤部材２１に直接連結されている。このため、第１連結杆２５から第１鉤部材２１への動力伝達と、その逆方向の動力伝達とがともに可能である。
【００１４】第２連結杆２６は上下に細長い形状をなし、その一部には、前記カム板１９の回転にともない第１突起１７が当接される回転伝達部３２が形成されている。これらのカム板１９及び回転伝達部３２は、錠軸１６の回転運動を直線運動に変換して第２連結杆２６に伝達するものである。そして、前枠３の開放のために専用キー１４が時計回り方向へ回されると、第１突起１７が回転伝達部３２に下側から当接し、第２連結杆２６を押上げる。このようにして、第２連結杆２６は専用キー１４の解錠操作にともない解錠方向へ移動する。これとは逆に、ガラス枠５の開放のために専用キー１４が反時計回り方向へ回されると、第２突起１８が補助枠３５を押し下げる。
【００１５】第２連結杆２６の上端部は第２鉤部材２３に動力伝達可能に連結されている。しかし、同上端部は、前述した第１連結杆２５の下端部とは異なり、第２鉤部材２３に対し連結ピンによって連結されてはいない。連結ピンによる連結に代えて、第２連結杆２６の上端部には押圧部３３が設けられ、第２鉤部材２３には受圧部３４が設けられている。ここでは、第２連結杆２６の上端縁が押圧部３３として利用されている。第２鉤部材２３の一部は第２連結杆２６側へ曲げ形成されており、この折曲げ部分が受圧部３４とされている。これらの押圧部３３及び受圧部３４は一例にすぎず、専用キー１４の操作により第２連結杆２６が上方（解錠方向）へ移動したときには受圧部３４が押圧部３３に当接し、かつ第１鉤部材２１が不正に押下げられたときには受圧部３４が押圧部３３から離間するという条件を満たす限りにおいて、適宜変更可能である。・・・
【００１６】・・・
【００１７】第１連結杆２５及び第２連結杆２６は次のようにして伸縮可能に連結されている。連結杆２５，２６の一方には、その長さ方向に沿って延びるガイド部が設けられ、他方には係合突部が設けられ、この係合突部がガイド部内に往復動可能に係入されている。ここでは、ガイド部として、第２連結杆２６の下端部に上下方向に細長い長孔３７があけられている。また、係合突部として、第１連結杆２５の上端部に係合ピン３８が固定されている。そして、係合ピン３８が長孔３７内に係入されている。従って、係合ピン３８を長孔３７内でスライドさせることにより、連結杆２０が伸縮する。」、
　（１−５）「【００１９】そして、第１連結杆２５と、回転伝達部３２を有する第２連結杆２６と、両連結杆２５，２６を伸縮可能に連結する長孔３７及び係合ピン３８と、第１連結杆２５を第１鉤部材２１に連結する連結ピン２９と、第２連結杆２６を第２鉤部材２３に動力伝達可能に連結する押圧部３３及び受圧部３４と、第１コイルばね３１及び第２コイルばね３６とは、鍵解錠伝達機構Ａ、第１伝達遮断機構Ｂ及び第２伝達遮断機構Ｃを構成している。これらの構成要素は、鍵解錠伝達機構Ａとして機能することにより、専用キー１４の解錠操作に応じたシリンダ錠１５の動作を全ての鉤部材２１，２３に伝達して受け金具６，７から外れさせる。第１伝達遮断機構Ｂとして機能することにより、第１鉤部材２１に対する解錠操作に応じた同鉤部材２１の動作が、解錠操作されていない第２鉤部材２３に伝達されるのを遮断する。第２伝達遮断機構Ｃとして機能することにより、第２鉤部材２３に対する解錠操作に応じた同鉤部材２３の動作が、解錠操作されていない第１鉤部材２１に伝達されるのを遮断する。
【００２０】また、鍵解錠伝達機構Ａ及び第１伝達遮断機構Ｂの構成要素中、長孔３７、係合ピン３８及び第１コイルばね３１は、第２連結杆２６から第１連結杆２５への動力伝達を許容し、第１連結杆２５から第２連結杆２６への動力伝達を遮断するための第１伝達経路断続部Ｄを構成している。鍵解錠伝達機構Ａ及び第２伝達遮断機構Ｃの構成要素中、押圧部３３、受圧部３４及び第２コイルばね３６は、連結杆２０から第２鉤部材２３への動力伝達を許容し、第２鉤部材２３から連結杆２０への動力伝達を遮断するための第２伝達経路断続部Ｅを構成している。」、
　（１−６）「【００２３】前枠３を開放するために、図４（ｂ），（ｃ）に示すように、専用キー１４をシリンダ錠１５に差込み、図４（ｂ）の矢印で示す方向へ回すと、錠軸１６及びカム板１９が同方向へ回転する。カム板１９の回転により第１突起１７が回転伝達部３２を通じて第２連結杆２６を押上げる。第２連結杆２６の動きは第２伝達経路断続部Ｅによって第２鉤部材２３に伝達される。詳しくは、第２連結杆２６の動きは押圧部３３、受圧部３４を通じて第２鉤部材２３に伝達される。第２鉤部材２３は第２コイルばね３６の引張り力に抗して下方へ傾動し、第２受け金具７から外れる。また、第２連結杆２６の動きは、第１伝達経路断続部Ｄにより第１連結杆２５に伝達される。詳しくは、第２連結杆２６の動きは、長孔３７の下端に位置する係合ピン３８を通じて第１連結杆２５に伝達される。第１連結杆２５は、第２連結杆２６と一体となって、第１コイルばね３１の引張り力に抗して上方へ移動する。この移動は連結ピン２９を通じて第１鉤部材２１に伝達され、同鉤部材２１が下方へ傾動し、第１受け金具６から外れる。このように、専用キー１４の解錠操作に応じてシリンダ錠１５が動作し、その動作が鍵解錠伝達機構Ａ、第１伝達経路断続部Ｄ及び第２伝達経路断続部Ｅの作用により、全ての鉤部材２１，２３に伝達される。それらの鉤部材２１，２３が略同時に受け金具６，７から外れ、前枠３の開放が可能となる。
【００２４】一方、パチンコ遊技機１と球貸し機４１との間に若干の隙間が生じていることを利用し、専用キー１４を用いずに、線材等、例えば針金をその隙間下部を通じて差込み、図５（ａ）に示すように、第１鉤部材２１に直接力を加えて下方へ傾動させると、同第１鉤部材２１が第１受け金具６から外れる。しかし、第１鉤部材２１の動作は、第１伝達遮断機構Ｂ及び第１伝達経路断続部Ｄの作用により、解錠操作されていない第２鉤部材２３には伝達されない。詳しくは、第１鉤部材２１の傾動により第１連結杆２５が第１コイルばね３１に抗して上方（解錠方向）へ移動する。これにともない係合ピン３８は長孔３７の下端部から上方へ移動する。この移動により、第１連結杆２５から第２連結杆２６への動力伝達が遮断される。第１連結杆２５は移動するものの第２連結杆２６は動かず、結果として第２鉤部材２３は第２受け金具７に係止し続ける。前枠３は閉じたままである。
【００２５】前記とは逆に、専用キー１４を用いずに、パチンコ遊技機１と球貸し機４１との間の隙間上部を通じて線材等を差込み、図５（ｂ）に示すように、第２コイルばね３６に抗して第２鉤部材２３に直接力を加えて下方へ傾動させると、同鉤部材２３が第２受け金具７から外れる。しかし、第２鉤部材２３の動作は、第２伝達遮断機構Ｃ及び第２伝達経路断続部Ｅの作用により、解錠操作されていない第１鉤部材２１には伝達されない。すなわち、第２鉤部材２３は下方へ傾動するものの、受圧部３４が押圧部３３から上方へ離間するのみで、第２鉤部材２３の動きは連結杆２０に伝達されない。結果として、両連結杆２５，２６は動かず、第１鉤部材２１は第１受け金具６に係止し続ける。前枠３は閉じたままである。
【００２６】このように本実施形態によると、専用キー１４を解錠操作することにより全ての鉤部材２１，２３を受け金具６，７から外すようにした施錠装置８において、第１鉤部材２１を線材等で不正に動かして第１受け金具６から外しても、第２鉤部材２３が第２受け金具７から外れない。このため、従来の施錠装置とは異なり、不正解錠を防止することができる。」、
　（１−７）「【００５９】
【発明の効果】以上のように、本発明によれば、線材等により所定の鉤部材に対し不正な解錠操作が行われても、ほかの鉤部材が連動して被係止部から外れるのを阻止することができる。不正な前枠の開放を未然に防止することができる。」。　
　　
　（１−８）また、パチンコ遊技機の側面図である【図２】には、「外枠２の前面側に設けられた前枠３」が示されている。　
　　　　　　　　　　
　したがって、これらの記載をまとめると、引用刊行物１には、
「　外枠２と、軸９により外枠２の前面側に開閉可能に支持された前枠３と、軸１０により前枠３に開閉可能に支持されたガラス枠５とを備え、外枠２内の右側部の、下部には第１受け金具６が、上部には第２受け金具７が固定されているパチンコ遊技機１において、
　前枠３が閉じられたときにその前枠３を外枠２に係止するための機構と、ガラス枠５が閉じられたときにそのガラス枠５を前枠３に係止するための機構とを備えている縦長の施錠装置８が、前枠３の裏面の右側部に組付けられ、
　当該施錠装置８は、上下に細長い枠体１３を備えており、この枠体１３は木ねじ等の締結具によって前枠３の裏面に固定されている取付け部１１と同裏面に対し略直交している支持部１２とを備え、
　　（ａ）枠体１３の上部には、ガラス枠５を前枠３に係止するための機構の一部をなす補助枠３５が上下方向への往復動可能に取付けられ、
　　（ｂ）取付け部１１には、前枠３の開放のために専用キー１４が差込まれて時計回り方向へ回され、ガラス枠５の開放のために反時計回り方向へ回されると、解錠操作されるシリンダ錠１５が組付けられ、
　　（ｃ）支持部１２の下部において、第１受け金具６と対応する箇所には、略水平状態となったときに第１受け金具６に係止し、下方へ傾いたときに同受け金具６から離脱する（外れる）第１鉤部材２１が軸２２により上下方向への傾動可能に支持され、支持部１２の上部において、第２受け金具７と対応する箇所には、略水平状態となったときに第２受け金具７に係止し、下方へ傾いたときに同受け金具７から離脱する（外れる）第２鉤部材２３が軸２４により上下方向への傾動可能に支持され、
　　（ｄ）支持部１２の側方近傍には、上方への移動により、全鉤部材２１，２３が受け金具６，７から外れて、解錠が行われる連結杆２０が上下方向への往復動可能に配置され、
　　（ｅ）連結杆２０は、第１連結杆２５と、その上側に配置された第２連結杆２６とに分割されており、
　（Ａ）前枠３を開放するために、専用キー１４をシリンダ錠１５に差込み、時計回り方向へ回すと、第２連結杆２６を押上げ、第２連結杆２６の動きは押圧部３３、受圧部３４を通じて第２鉤部材２３に伝達され、第２鉤部材２３は下方へ傾動し、第２受け金具７から外れ、また、第２連結杆２６の動きは、長孔３７の下端に位置する係合ピン３８を通じて第１連結杆２５に伝達され、第１連結杆２５は上方へ移動し、この移動は連結ピン２９を通じて第１鉤部材２１に伝達され、同鉤部材２１が下方へ傾動し、第１受け金具６から外れ、前枠３の開放が可能となり、
　（Ｂ）パチンコ遊技機１と球貸し機４１との間に若干の隙間が生じていることを利用し、専用キー１４を用いずに、線材等、例えば針金をその隙間下部を通じて差込み、第１鉤部材２１に直接力を加えて下方へ傾動させると、同第１鉤部材２１が第１受け金具６から外れ、第１鉤部材２１の傾動により第１連結杆２５は上方（解錠方向）へ移動するものの、係合ピン３８は長孔３７の下端部から上方へ移動して第２連結杆２６は動かず、第２鉤部材２３は第２受け金具７に係止し続け、前枠３は閉じたままであり、
　（Ｃ）専用キー１４を用いずに、パチンコ遊技機１と球貸し機４１との間の隙間上部を通じて線材等を差込み、第２鉤部材２３に直接力を加えて下方へ傾動させると、同鉤部材２３が第２受け金具７から外れるものの、受圧部３４が押圧部３３から上方へ離間するのみで、第２鉤部材２３の動きは連結杆２０に伝達されず、両連結杆２５，２６は動かず、第１鉤部材２１は第１受け金具６に係止し続け、前枠３は閉じたままである、
　線材等により所定の鉤部材に対し不正な解錠操作が行われても、ほかの鉤部材が連動して被係止部から外れるのを阻止することができ、不正な前枠の開放を未然に防止することができる、パチンコ遊技機１。」の発明（以下、「引用発明１」という。）が記載されていると認められる。
　　　　
　原査定時に周知技術として引用された、特開２０００−１５７６９９号公報（以下、「引用刊行物２」という。）には、以下の記載がある（なお、符号「５１」の用語として「保持枠係合受部材」と「保持枠係合受」とを混用しているが、【符号の説明】の欄の記載に基づき、「保持枠係合受部材」の用語を採用した。）。
　（２−１）「【０００１】
【発明の属する技術分野】本発明は、パチンコ遊技機などの遊技機に関し、特に、透明ガラス等の透明部材を有するカバー枠を前面枠に対して閉状態で施錠する錠部材を備えた遊技機に関するものである。」、　
　（２−２）「【００１０】カバー枠３は、図２および図３に示すように、前面枠２の開口部よりも大きな合成樹脂製の装飾カバー部２２が遊技盤１５の周辺部および前面枠２の上部表面（開閉パネル７よりも上部）の殆どを覆い得る枠状体であり、左右の縦部２３ａ，２３ｂの外半部が外周側から中央にかけて前面に膨出するように形成され、この膨出部の裏面に窪部２４が形成され、前面枠２に蝶着される側とは反対側（自由端側）の縦部２３ｂの上下ほぼ中央には、後述する錠部材２５が嵌合する貫通開口部２６が外縁部分から切欠状に形成されている。また、このカバー枠３の左右の縦部２３ａ，２３ｂおよび上下の横部２７ａ，２７ｂの内半部には、開口部２８を囲う環状装飾部材２９の取付部３０が形成され、その裏面にはガラス２１板の保持枠３１の取付座３２が形成されている。・・・
【００１１】保持枠３１は、内側に２条の溝が形成された断面略Ｗ字状の金属製の枠体であり、上端の左右をロッド３６で連結し、上記溝内に透明部材として透明ガラス２１を嵌挿して保持する。そして、この保持枠３１は、保持部３９と固定部４０とによりカバー枠３の裏面の所定位置に固定される。・・・」、　
　（２−３）「【００１３】前面枠２はベニア合板製の枠体であり、図５から図７に示すように、上記カバー枠３によって被覆される前面部分には、左右の縦部２３ａ，２３ｂに断面略Ｚ字状の金属製の長尺な突出部材４５，４６が縦方向に取り付けられ、上横材の前面部分には前記した凹部３３に嵌合する合成樹脂製の長尺な凸条３５が設けられている。」、　
　（２−４）「【００１５】一方、前面枠２の自由端側である右縦部２３ｂに取り付ける突出部材４６は、図７に示すように、左側の突出部材４５と同様に、前面枠２の表面に固定されるベース面４６ａの一側から防犯壁４６ｂが立設されており、この防犯壁４６ｂの高さ（突出長さ）はカバー枠３の窪部２４の深さよりも少し小さく設定する。したがって、カバー枠３を閉じると、防犯壁４６ｂが窪部２４内に嵌合し、これにより前面枠２とカバー枠３との隙間から挿入されるピアノ線等の侵入を防止することができる。なお、突出部材４６は、突出部材４５と同様に、ベース面４６ａに開設したネジ孔内に挿入したネジ５０を前面枠２にねじ込むことにより固定される。
【００１６】この突出部材４６のベース面４６ａの他側には、断面略コ字状のスライドベース部４６ｃを形成し、このスライドベース部４６ｃに保持枠係合受部材５１を上下方向にスライド可能な状態で添設し、保持枠係合受部材５１には施錠方向に付勢するスプリング（図示せず）を接続するとともに、後述する錠部材２５の後端から突出した回動ピン（図示せず）に接続し、保持枠係合受部材５１に切欠溝状に形成した係合受部（図示せず）に保持枠３１の自由端側に突設したフック状の係合部５２が係合することによりカバー枠３を閉状態で施錠でき、錠部材の鍵穴に差し込んだ鍵を一方に回動操作して保持枠係合受５１をスライドさせると係合部５２が係合受部から外れて解錠するように構成してある。・・・
【００１７】ところで、前面枠２の右縦部２３ｂの上下方向のほぼ中央には、図８に示すように、貫通孔５３を開設し、この貫通孔内に、前面枠２やカバー枠３を閉状態で施錠する錠部材としてシリンダ錠２５を前面枠２の板厚方向に取り付け、図９に示すように、前面枠２の表面から突出したシリンダ錠２５の前端部分を囲繞する状態で錠飾り部材５４を取り付け、この錠飾り部材５４によりシリンダ錠２５の無機質感を払拭するとともにこの周りをパチンコ遊技機１のデザイン上でのアクセントとして装飾する。
【００１８】この錠飾り部材５４を取り付けるには、前面枠２の右縦部２３ｂの幅がそれ程広くないので、図５に示すように、前記突出部材４６の防犯壁４６ｂおよびベース面４６ａの一部を切り欠いて錠飾り取付領域４９を形成し、この錠飾り取付領域４９に錠飾り部材５４を取り付ける。
【００１９】錠飾り部材５４は、図９に示すように、シリンダ錠２５の前端面が丁度嵌合する錠嵌合窓５５を開設した合成樹脂製の色鮮やかな箱状ケースであり、本実施形態では前面枠２の表面に当接するベース部５４ａと錠嵌合窓５５を開設した錠飾り部分５４ｂとを異なる色彩で構成した二色成型で成形し、ベース部５４ａの上部と下部には肉厚な耳片状の取付部５６を縁部分から上下方向に突設し、各取付部５６にはネジ孔を開設し、また、両取付部５６の側面からベース部５４ａの下端縁（前面枠２の表面に当接する開口部側の縁部）に沿って溝５７を形成してある。そして、上方の取付部５６の上端から下方の取付部５６の下端までの長さを、錠飾り取付領域４９に臨んでいる防犯壁４６ｂの端部同士の間隔、すなわち切り欠いた防犯壁４６ｂの長さに合わせて設定する。なお、錠飾り部材５４は、二色成型に限らず別個に成型した部材を組み付けて構成してもよい。
【００２０】上記した構成から成る錠飾り部材５４を錠飾り取付領域４９に取り付けるには、図９に示すように、シリンダ錠２５の先端面を錠嵌合窓５５内に嵌合するとともに、上方の取付部５６を上方の防犯壁４６ｂの下端に、下方の取付部５６を下方の防犯壁４６ｂの上端にそれぞれ合わせた状態で各取付部５６のネジ孔内にネジを挿入し、このネジの先端雄ネジ部分を前面枠２の表面に締め込んで固定する。この様にして錠飾り部材５４を前面枠２の表面に固定すると、各取付部５６の端部が錠飾り取付領域４９に臨んだ防犯壁４６ｂの端部にそれぞれ接続する。・・・」。
　
　したがって、これらの記載をまとめると、引用刊行物２には、
　「　保持枠係合受部材５１に形成した係合受部に保持枠３１の自由端側に突設したフック状の係合部５２が係合することにより、透明ガラス２１等の透明部材を有するカバー枠３を前面枠２に対して閉状態で施錠し、錠部材の鍵穴に差し込んだ鍵を一方に回動操作して保持枠係合受部材５１をスライドさせると係合部５２が係合受部から外れて解錠する、遊技機において、
　（ａ）枠状体であるカバー枠３の裏面の所定位置には、透明ガラス２１を嵌挿して保持する保持枠３１が固定され、
　（ｂ）枠状体である前面枠２の、上記カバー枠３によって被覆される前面部分には、左右の縦部２３ａ，２３ｂに断面略Ｚ字状の金属製の長尺な突出部材４５，４６が縦方向に取り付けられ、
　　（ｂ−１）前面枠２の自由端側である右縦部２３ｂに取り付けられる突出部材４６は、前面枠２の表面にネジ５０により固定されるベース面４６ａの一側から防犯壁４６ｂが立設されており、カバー枠３を閉じると、防犯壁４６ｂがカバー枠３の窪部２４内に嵌合し、これにより前面枠２とカバー枠３との隙間から挿入されるピアノ線等の侵入を防止することができ、
　　（ｂ−２）突出部材４６のベース面４６ａの他側には、断面略コ字状のスライドベース部４６ｃを形成し、このスライドベース部４６ｃに保持枠係合受部材５１を上下方向にスライド可能な状態で添設し、
　　（ｂ−３）突出部材４６の防犯壁４６ｂおよびベース面４６ａの一部を切り欠いて錠飾り取付領域４９を形成し、
　（ｃ）前面枠２の右縦部２３ｂの上下方向のほぼ中央には、錠部材としてシリンダ錠２５を前面枠２の板厚方向に取り付け、前面枠２の表面から突出したシリンダ錠２５の前端部分を囲繞する状態で錠飾り部材５４を取り付け、
　　（ｃ−１）錠飾り部材５４は、前面枠２の表面に当接するベース部５４ａとシリンダ錠２５の前端面が丁度嵌合する錠嵌合窓５５を開設した錠飾り部分５４ｂとを成形し、ベース部５４ａの上部と下部には耳片状の取付部５６を縁部分から上下方向に突設し、
　（ｄ）錠飾り部材５４を錠飾り取付領域４９に取り付けるには、シリンダ錠２５の先端面を錠嵌合窓５５内に嵌合するとともに、上方の取付部５６を上方の防犯壁４６ｂの下端に、下方の取付部５６を下方の防犯壁４６ｂの上端にそれぞれ合わせた状態で各取付部５６のネジ孔内にネジを挿入し、このネジを前面枠２の表面に締め込んで固定する、遊技機。」の発明（以下、「引用発明２」という。）が記載されていると認められる。
　
　（い）本願補正発明と引用発明１との比較・検討
　（い−１）引用発明１の「前枠３」は、本願補正発明の「施錠枠」に相当し、以下同様に、「外枠２」は「被施錠枠」に、「パチンコ遊技機１」は「遊技機」に、「第１受け金具６」及び「第２受け金具７」は「被係合部」に、「係止」は「係合」に、「外れ」は「解除される」に、「第１鉤部材２１」及び「第２鉤部材２３」は「複数の係合部材」に、「専用キー１４」は「鍵部材」に、「連結杆２０」は「連絡手段」に、「ガラス枠５」は「追加枠」に、「シリンダ錠１５」は「鍵挿入部材」に、「枠体１３」は「ユニット基板」に、それぞれ相当する。
　（い−２）引用発明１の「施錠装置８」は、「前枠３が閉じられたときにその前枠３を外枠２に係止するための機構を備え」、「前枠３を開放する」ためには「専用キー１４」の回動を必要とするものであるから、引用発明１が、本願補正発明の「施錠枠が被施錠枠に施錠される」に相当する構成を有していることは明らかである。
　（い−３）引用発明１の「第１受け金具６、第２受け金具７」及び「第１鉤部材２１、第２鉤部材２３」の設置箇所について検討すると、引用発明１の「第１受け金具６、第２受け金具７」は「外枠２内の右側部に固定され」、即ち「外枠２に固定され」ているから、引用発明１が、本願補正発明の「被施錠枠に設けられた被係合部」に相当する構成を有し、引用発明１の「第１鉤部材２１、第２鉤部材２３」は「支持部１２において、上下方向への傾動可能に支持され」、当該支持部１２は「前枠３の裏面の右側部に組付けられる、施錠装置８」に備えられている、即ち「前枠３に備えられ」ているから、引用発明１が、本願補正発明の「施錠枠に設けられる複数の係合部材」に相当する技術事項を有しているといえる。
　次に、引用発明１の「第１受け金具６、第２受け金具７」及び「第１鉤部材２１、第２鉤部材２３」の「係止、離脱」について検討すると、引用発明１では「前枠３が閉じられたときにその前枠３を外枠２に係止するための機構」を備え、「専用キー１４をシリンダ錠１５に差込み、時計回り方向へ回すと、・・・第２鉤部材２３は下方へ傾動し、第２受け金具７から外れ、また、・・・第１鉤部材２１に伝達され、同鉤部材２１が下方へ傾動し、第１受け金具６から外れ、前枠３の開放が可能とな」るものであるから、引用発明１が本願補正発明の「被係合部に係合されることで施錠枠が被施錠枠に施錠されると共に、解除操作されることで前記被係合部への係合が解除される複数の係合部材」に相当する技術事項を有していることは、明らかである。
　そうすると、引用発明１は、本願補正発明の「前記施錠枠及び被施錠枠の何れか一方に設けられ、前記施錠枠及び被施錠枠の何れか他方に設けられた被係合部に係合されることで前記施錠枠が前記被施錠枠に施錠されると共に、解除操作されることで前記被係合部への係合が解除される複数の係合部材」に相当する技術事項を有しているといえる。
　（い−４）引用発明１の「第１連結杆２５と、その上側に配置された第２連結杆２６とに分割されている、連結杆２０」について検討すると、引用発明１では「前枠３を開放するために、専用キー１４をシリンダ錠１５に差込み、時計回り方向へ回すと、第２連結杆２６を押上げ、第２連結杆２６の動きは・・・第２鉤部材２３に伝達され、第２鉤部材２３は下方へ傾動し、第２受け金具７から外れ、また、第２連結杆２６の動きは、・・・第１連結杆２５に伝達され、第１連結杆２５は上方へ移動し、この移動は・・・第１鉤部材２１に伝達され、同鉤部材２１が下方へ傾動し、第１受け金具６から外れ」るものであり、「専用キー１４を用いずに、線材等、例えば針金をその隙間下部を通じて差込み、第１鉤部材２１に直接力を加えて下方へ傾動させると、同第１鉤部材２１が第１受け金具６から外れ、第１鉤部材２１の傾動により第１連結杆２５は上方（解錠方向）へ移動するものの、・・・第２連結杆２６は動かず、第２鉤部材２３は第２受け金具７に係止し続け、前枠３は閉じたままであり」、「専用キー１４を用いずに、パチンコ遊技機１と球貸し機４１との間の隙間上部を通じて線材等を差込み、第２鉤部材２３に直接力を加えて下方へ傾動させると、同鉤部材２３が第２受け金具７から外れるものの、・・・第２鉤部材２３の動きは連結杆２０に伝達されず、両連結杆２５，２６は動かず、第１鉤部材２１は第１受け金具６に係止し続け、前枠３は閉じたままである」から、引用発明１は、本願補正発明の「（前記）複数の係合部材を連絡すると共に鍵部材により操作可能とされ、操作された際には前記複数の係合部材の全てを解除操作し、前記係合部材が他の前記係合部材と独立して解除操作された際には当該他の前記係合部材を解除操作しない連絡手段」に相当する技術事項を有しているといえる。
　（い−５）引用発明１の「シリンダ錠１５が組付けられる取付け部１１」を検討すると、該取付け部１１は「枠体１３」に備えられているから、引用発明１が、本願補正発明の「鍵部材が挿入される鍵挿入部材が固定されるユニット基板」に相当する構成を有していることは明らかである。
　　
　そうすると、両者の一致点及び相違点は次のとおりである。
　一致点
　　施錠枠が被施錠枠に施錠される遊技機であって、
　前記施錠枠及び被施錠枠の何れか一方に設けられ、前記施錠枠及び被施錠枠の何れか他方に設けられた被係合部に係合されることで前記施錠枠が前記被施錠枠に施錠されると共に、解除操作されることで前記被係合部への係合が解除される複数の係合部材と、
　前記複数の係合部材を連絡すると共に鍵部材により操作可能とされ、操作された際には前記複数の係合部材の全てを解除操作し、前記係合部材が他の前記係合部材と独立して解除操作された際には当該他の前記係合部材を解除操作しない連絡手段と、
　前記施錠枠に施錠されまたは前記被施錠枠が施錠される追加枠と、
　前記鍵部材が挿入される鍵挿入部材が固定されるユニット基板と、
　を備えた、遊技機。
　
　相違点
　鍵挿入部材が固定されるユニット基板に、本願補正発明では鍵挿入部材の固定部位を除く上端から下端に亘って形成され、後面側に設けられた前記被施錠枠または追加枠と当該被施錠枠または追加枠に施錠される前記施錠枠または被施錠枠の回動外端との隙間を塞ぐ阻止板を備えたのに対し、引用発明１では隙間を塞ぐ阻止板を備えていない点。
　　
　そこで、上記相違点について検討する。
　引用発明２においては、「前面枠２の自由端側である右縦部２３ｂに取り付けられる、断面略Ｚ字状の金属製の長尺な突出部材４６」には「防犯壁４６ｂが立設されており」、「突出部材４６の防犯壁４６ｂおよびベース面４６ａの一部を切り欠いて錠飾り取付領域４９を形成し」、「錠飾り部材５４を錠飾り取付領域４９に取り付けるには、シリンダ錠２５の先端面を錠嵌合窓５５内に嵌合するとともに、上方の取付部５６を上方の防犯壁４６ｂの下端に、下方の取付部５６を下方の防犯壁４６ｂの上端にそれぞれ合わせた状態で各取付部５６のネジ孔内にネジを挿入し、固定する」もので、「カバー枠３を閉じると、防犯壁４６ｂがカバー枠３の窪部２４内に嵌合し、これにより前面枠２とカバー枠３との隙間から挿入されるピアノ線等の侵入を防止することができ」るものであるから、引用発明２には、本願補正発明の「ユニット基板に前記鍵挿入部材の固定部位を除く上端から下端に亘って形成され、後面側に設けられた前記被施錠枠または追加枠と当該被施錠枠または追加枠に施錠される前記施錠枠または被施錠枠の回動外端との隙間を塞ぐ阻止板と、を備え」と比較して、「板状体（断面略Ｚ字状の金属製の長尺な突出部材４６）に、鍵挿入部材（シリンダ錠２５）の位置する部位を除く上端から下端に亘って形成され、後面側に設けられた被施錠枠（前面枠２）と当該被施錠枠に施錠される施錠枠（カバー枠３）の回動外端（自由端）との隙間を塞ぐ阻止板（防犯壁４６ｂ）を備え」に対応する技術が記載されているといえる。そして、引用発明１の「前枠３の裏面の右側部に組付けられた施錠装置８に備えられる、枠体１３」と引用発明２の「前面枠２の自由端側である右縦部２３ｂに取り付けられる突出部材４６」とは「遊技機の枠体に設けられる板状体」において共通しているから、引用発明１の「シリンダ錠１５が組付けられた取付け部１１を備える、枠体１３」に引用発明２の「防犯壁４６ｂが立設された突出部材４６」を適用し、上記相違点に係る本願補正発明を特定する事項とすることは、当業者が容易になし得ることである。
　　　
　また、引用発明１は、「線材等により所定の鉤部材に対し不正な解錠操作が行われても、ほかの鉤部材が連動して被係止部から外れるのを阻止することができ、不正な前枠の開放を未然に防止することができる」ものであるから、本願補正発明が格別の効果を奏するものとは認められない。
　
　したがって、本願補正発明は、引用発明１及び引用発明２に基づいて、当業者が容易に発明をすることができたものであるから、特許法第２９条第２項の規定により特許出願の際独立して特許を受けることができないものである。
　
　（う）補正却下の決定のむすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第三、本願発明について
　平成２０年１０月１日付けの手続補正は上記のとおり却下されることとなったので、本願の請求項１に係る発明は、上記平成２０年７月２９日付けで補正された明細書の記載からみて、その特許請求の範囲の請求項１に記載された事項により特定されるものと認められるところ、その請求項１に記載された発明（以下、「本願発明」という。）を再掲すると、次のとおりである。
　
　「　施錠枠が被施錠枠に施錠される遊技機であって、
　前記施錠枠及び被施錠枠の何れか一方に設けられ、前記施錠枠及び被施錠枠の何れか他方に設けられた被係合部に係合されることで前記施錠枠が前記被施錠枠に施錠されると共に、解除操作されることで前記被係合部への係合が解除される複数の係合部材と、
　前記複数の係合部材を連絡すると共に鍵部材により操作可能とされ、操作された際には前記複数の係合部材の全てを解除操作し、前記係合部材が他の前記係合部材と独立して解除操作された際には当該他の前記係合部材を解除操作しない連絡手段と、
　前記施錠枠に施錠されまたは前記被施錠枠が施錠される追加枠と、
　後面側に設けられた前記被施錠枠または追加枠と当該被施錠枠または追加枠に施錠される前記施錠枠または被施錠枠の回動外端との隙間を塞ぐ阻止板と、
　を備えたことを特徴とする遊技機。」
　　
　（ア）刊行物に記載された発明
刊行物１；特開２０００−２８８２１４号公報
刊行物２；特開２０００−１５７６９９号公報
刊行物３；特開２０００−３１７１１５号公報
　　
　原査定の拒絶理由に引用され、本願出願前に頒布された、引用刊行物１（特開２０００−２８８２１４号公報）及び原査定時に周知技術として引用された、引用刊行物２（特開２０００−１５７６９９号公報）に記載された事項は前記「第二、（２）（あ）刊行物に記載された発明」に記載された事項と同様であるから、援用する。
　
　原査定時に周知技術として引用された、特開２０００−３１７１１５号公報（以下、「引用刊行物３」という。）には、以下の記載がある。
　（３−１）「【０００１】
【発明の属する技術分野】本発明は、パチスロ機等のゲーム機に使用される施錠装置の受け金具に関する。」、　
　（３−２）「【０００５】本発明は、上記の点に鑑みてなされたもので、前扉の自由端側の隙間の内側に有効な壁を作り不正解錠を防止することができる施錠装置の受け金具を提供することを目的とする。」、　
　（３−３）「【０００８】施錠状態では、前扉の自由端側の縁部がキャビネットの縁部に当接して閉鎖状態となるが、何らかの理由により、その突き合わせ面に隙間が生じたとしても、その突き合わせ面の内側奥に、受け金具の帯本体の縁部が、施錠装置に対し壁となって位置する。このため、突き合わせ面の隙間から針金などを差し込んで、施錠装置の連結杆や鉤部材を動かそうとしても、受け金具の縁部の壁により阻まれ、不正解錠を未然に防止することができる。」、　
　（３−４）「【００１０】
【発明の実施の形態】以下、本発明の実施の形態を図面に基づいて説明する。図１は、内部を省略したパチスロのキャビネット１を開いた状態の斜視図を示している。キャビネット１の前面に前扉２が蝶番３を介して開閉自在に取り付けられ、前扉２の自由端側の内側に、縦長の施錠装置４が取り付けられる。」、　
　（３−５）「【００１３】一方、キャビネット１の内側前縁部における施錠装置４との対向位置には、受け金具１０が縦に固定される。受け金具１０は、図２に示すように、縦長の帯状金属板からなる帯本体１１の上部と中間部に、係止部１２、１３を断面Ｌ形に曲げて突設し形成される。帯本体１１には複数の取付孔が穿設され、帯本体１１をキャビネット１の内側部に取り付けた際、係止部１２、１３が正面を向くように形成される。」、
　（３−６）「【００１７】そして、上記のように受け金具１０を取り付けたキャビネット１に対し、施錠装置を取り付けた前扉２を閉じると、施錠装置４の上下の鉤部材５、６が、受け金具１０の係止部１２、１３に当接しながら下方に回動し、再び水平位置に戻るように動作して施錠状態となる。・・・
【００１８】また、施錠状態では、図４に示すように、前扉２の自由端側の縁部がキャビネット１の前面縁部に当接するが、その突き合わせ面に隙間が生じたとしても、その突き合わせ部の奥に、受け金具１０の帯本体１１の縁部１１ａが、施錠装置４に対し壁となって位置する。このため、突き合わせ部の隙間から針金などを差し込んで、施錠装置４の連結杆や鉤部材５、６を動かそうとしても、縁部１１ａの壁により阻まれ、不正解錠を未然に防止することができる。・・・」、　
　（３−７）「【００２２】
【発明の効果】以上説明したように、本発明によれば、受け金具の装着時、その帯本体の縁部が、施錠装置に対し壁となって位置するから、突き合わせ面の隙間から針金などを差し込んで、施錠装置の連結杆や鉤部材を動かそうとしても、受け金具の縁部の壁により阻まれ、不正解錠を未然に防止することができる。・・・」。　
　
　したがって、これらの記載をまとめると、引用刊行物３には、
「キャビネット１の前面に前扉２が蝶番３を介して開閉自在に取り付けられ、
　前扉２の自由端側の内側に縦長の施錠装置４が取り付けられる一方、キャビネット１の内側前縁部における施錠装置４との対向位置には、受け金具１０が縦に固定される、パチスロ機等のゲーム機において、
　前扉２の自由端側の縁部がキャビネット１の前面縁部に当接して閉鎖状態となる施錠状態で、その突き合わせ面に隙間が生じたとしても、受け金具１０の帯本体１１の縁部１１ａが、前扉２の自由端側の隙間の内側に有効な壁となって位置するため、突き合わせ面の隙間から針金などを差し込んで、施錠装置４の連結杆や鉤部材５、６を動かそうとしても、受け金具１０の縁部１１ａの壁により阻まれ、不正解錠を未然に防止することができる、
　パチスロ機等のゲーム機に使用される施錠装置の受け金具。」の発明（以下、「引用発明３」という。）が記載されていると認められる。
　　
　（イ）本願発明と引用発明１との比較・検討
　本願発明と引用発明１とを比較・検討すると、その内容は前記「第二、（２）（い）本願補正発明と引用発明１との比較・検討」の欄に「（い−１）乃至（い−５）」として記載された事項のうち、「（い−１）乃至（い−４）」として記載された事項と同様であるから、援用する。但し、「（い−１）」における「「シリンダ錠１５」は「鍵挿入部材」に、「枠体１３」は「ユニット基板」に、それぞれ相当する」との記載は援用せず、また、「本願補正発明」は「本願発明」と読み替える。
　
　そうすると、両者の一致点及び相違点は次のとおりである。
　一致点
　　施錠枠が被施錠枠に施錠される遊技機であって、
　前記施錠枠及び被施錠枠の何れか一方に設けられ、前記施錠枠及び被施錠枠の何れか他方に設けられた被係合部に係合されることで前記施錠枠が前記被施錠枠に施錠されると共に、解除操作されることで前記被係合部への係合が解除される複数の係合部材と、
　前記複数の係合部材を連絡すると共に鍵部材により操作可能とされ、操作された際には前記複数の係合部材の全てを解除操作し、前記係合部材が他の前記係合部材と独立して解除操作された際には当該他の前記係合部材を解除操作しない連絡手段と、
　前記施錠枠に施錠されまたは前記被施錠枠が施錠される追加枠と、
　を備えた、遊技機。
　
　相違点
　本願発明では、後面側に設けられた被施錠枠または追加枠と当該被施錠枠または追加枠に施錠される施錠枠または被施錠枠の回動外端との隙間を塞ぐ阻止板を備えたのに対し、引用発明１では隙間を塞ぐ阻止板を備えていない点。
　　
　そこで、上記相違点について検討する。
　遊技機において、後面側に設けられた被施錠枠と当該被施錠枠に施錠される施錠枠の回動外端との隙間を塞ぐ阻止板を備えたものは、例えば、引用発明２に示された「前面枠２の自由端側である右縦部２３ｂであって、カバー枠３によって被覆される前面部分には、防犯壁４６ｂを立設する突出部材４６が縦方向に取り付けられる遊技機において、カバー枠３を閉じると、カバー枠３の窪部２４内に嵌合し、これにより前面枠２とカバー枠３との隙間から挿入されるピアノ線等の侵入を防止することができる、防犯壁４６ｂ」及び引用発明３に示された「キャビネット１の前面に前扉２が取り付けられるゲーム機において、施錠状態で、前扉２の自由端側の隙間の内側に有効な壁となって位置する、受け金具１０の帯本体１１の縁部１１ａ」のように、当該技術分野においては周知・慣用の技術であるから、当該周知・慣用の技術を本願発明の遊技機に適用し、上記相違点に係る本願発明を特定する事項とすることは、当業者が容易になし得ることである。
　　　
　また、本願発明が格別の効果を奏するものとは認められない。
　
　（ウ）むすび
　以上のとおり、本願発明は、引用発明１及び周知・慣用の技術に基づいて、当業者が容易に発明をすることができたものであるから、特許法第２９条第２項の規定により特許を受けることができないものであり、本願は拒絶すべきものである。
　よって、結論のとおり審決する。